(57)【特許請求の範囲】
【請求項１】
風選部（Ｂ）上の前側に脱ぷ部（Ａ）を後側に壺穴式の選別胴（２）により混合米を選別する選別部（Ｃ）を載設してなる壺穴式選別籾摺機であって、脱ぷ部（Ａ）の籾供給シャッタ−（１）の動作係合部材（３）と選別胴（２）内に挿架する玄米受樋（４）の玄米受入側に設けた玄米仕切板（５）の動作係合部材（６）とに１つの操作レバ−（７）を係脱自在に設け、該操作レバ−（７）により籾供給シャッタ−（１）の開閉と玄米仕切板（５）の傾動調節を行わせるものにおいて、前記選別部（Ｃ）から支持ア−ム（８）を前方に向けて突設し、その支持ア−ム（８）に前記玄米仕切板（５）の動作係合部材（６）を装着して、選別部（Ｃ）全体を後方に移動可能に構成したことを特徴とする壺穴式選別籾摺機における調節操作装置。
【請求項２】
選別部（Ｃ）を風選部（Ｂ）上の定位置にして運転状態にしたとき、玄米仕切板（５）の動作係合部材（６）が籾供給シャッタ−（１）の動作係合部材（３）に対向し、且つ操作レバ−（７）を籾供給シャッタ−（１）の動作係合部材（３）側に位置させたことを特徴とする請求項１．記載の壺穴式選別籾摺機における調節操作装置。
【発明の詳細な説明】
【０００１】
【産業上の利用分野】
本発明は、脱ぷ部と、摺落物を風選する風選部と、玄米と籾の混合米を壺穴式の選別胴により選別する選別部とからなる壺穴式選別籾摺機における調節操作装置に関するものである。
【０００２】
【従来の技術】
従来、上記のように脱ぷ部と、摺落物を風選する風選部と、混合米を壺穴式の選別胴により選別する選別部とからなる壺穴式選別籾摺機は、「図３」と「図４」に示すように、風選部（Ｂ）上の前側に脱ぷ部（Ａ）を後側に選別部（Ｃ）を載設して組成されていて、籾タンク（９）に投入された籾は籾供給シャッタ−（１）の「開」により一対の脱ぷロ−ル（１０）によって摺落され、前側風路（１１）で籾殻と粃類が取り除かれて揚上ののち混合米樋（１２）により選別胴（２）内を後側に送られてこの選別胴（２）の内周面に落下し、壺穴のもちあげ作用によって玄米は玄米受樋（４）と混合米樋（１２）の間において傾動調節する玄米仕切板（５）を飛び越えて玄米受樋（４）に落入し、玄米受樋（４）から後側風路（１３）に導出され仕上げ風選されて機外に取出され、玄米仕切板（５）を越えない玄米と一部の籾は混合米樋（１２）に落入して再選別され、もちあげられない籾はバケット（１４）によって掬いあげられ還元樋（１５）から籾タンク（９）に返されるようになっている。そして、籾摺作業時に調節操作が手順よく便利にできるようにするために、脱ぷ部（Ａ）の籾供給シャッタ−（１）の開閉と選別部（Ｃ）における玄米仕切板（５）の傾動調節とを１つの操作レバ−によって行わせるようにしたものが特開平８−５７４２７号公報によって公開されたところである。しかし、この公開された公報のものは選別部（Ｃ）を矢印のように後方に移動させることができず、各部（Ａ）（Ｂ）（Ｃ）の整備点検等いわゆるメンテナンス面で問題点を有している。
【０００３】
【発明が解決しようとする課題】
そこで、本発明は脱ぷ部（Ａ）の籾供給シャッタ−（１）の開閉と選別部（Ｃ）における玄米仕切板（５）の傾動調節とを１つの操作レバ−によって行わせるようにしたもので、選別部（Ｃ）を後方に移動可能なものにし、また、移動後風選部（Ｂ）上から降ろすことができるものにしてメンテナンス面での問題点を解決するのを目的として発案されたものである。
【０００４】
【課題を解決するための手段】
本発明は、上記の目的遂行のために、風選部上の前側に脱ぷ部を後側に壺穴式の選別胴により混合米を選別する選別部を載設してなる壺穴式選別籾摺機であって、脱ぷ部の籾供給シャッタ−の動作係合部材と選別胴内に挿架する玄米受樋の玄米受入側に設けた玄米仕切板の動作係合部材とに１つの操作レバ−を係脱自在に設け、該操作レバ−により籾供給シャッタ−の開閉と玄米仕切板の傾動調節を行わせるものにおいて、前記選別部から支持ア−ムを前方に向けて突設し、その支持ア−ムに前記玄米仕切板の動作係合部材を装着して、選別部全体を後方に移動可能に構成したことを特徴とするものである。
【０００５】
【作用】
これにより、籾摺作業時には操作レバ−を籾供給シャッタ−の動作係合部材に係合させて操作すると、籾供給シャッタ−は「閉」の状態から「開」の状態になって籾タンク内の籾を脱ぷロ−ルに供給して摺落し、その摺落物は風選部で風選されて玄米と籾の混合米は選別部の選別胴の内周面に落下する。そして、この落下した混合米は選別胴の回転によって玄米受樋の玄米受入がわに設けた玄米仕切板を飛び越えて玄米受樋に落入して玄米と籾に選別されるようになる。そこで、籾供給シャッタ−の動作係合部材に係合している操作レバ−を脱して玄米仕切板の動作係合部材に係合させて操作すると、玄米仕切板の傾動調節が行われ玄米の選別精度を良好にしながら能率よく籾摺作業が実施されるのである。
【０００６】
次に、籾摺作業の終了により整備点検を行うときには、操作レバ−を切替えて籾供給シャッタ−の動作係合部材との関係を断ち、風選部上に載設している選別部を後方に移動させれば玄米仕切板の動作係合部材は支持ア−ムと共に後方に移動し選別部全体が脱ぷ部から大きく離間して各部の整備点検がし易くなるのである。また、整備点検後選別部を前方に移動して定位置にし運転状態にすれば玄米仕切板の動作係合部材は元の位置に復帰する。
【０００７】
【実施例】
以下、本発明について実施例図を参照し説明するのであるが、壺穴式選別籾摺機全体の構成は前述せる「図３」と「図４」に示したものと同じであるから、全体構成の説明は省略し、この発明の要点のみ「図１」と「図２」および「図５」により記載することにする。
【０００８】
（７）は操作レバ−、（３）は籾供給シャッタ−（１）開閉用の動作係合部材、（６）は玄米仕切板（５）傾動調節用の動作係合部材、（１６）と（１７）は左右方向の同一線上に横設された長手軸と短軸で、一方の長手軸（１６）は脱ぷ部（Ａ）の外側部から張出し状にして固設したカバ−兼用の支持板体（１８）に溶着されて内方に向けて突設し、他方の短軸（１７）は選別部（Ｃ）の前側部から前方に向けて突設した支持ア−ム（８）の先端部に溶着されて外方に向かって突設し、長手軸（１６）には籾供給シャッタ−（１）の動作係合部材（３）が前後方向に揺動可能に嵌合し、また、短軸（１７）には玄米仕切板（５）の動作係合部材（６）が同様に前後方向に揺動可能に嵌合して双方の動作係合部材（３）と（６）を互いに対向させている。そして、前記操作レバ−（７）はその下端を長手軸（１６）に樞着して籾供給シャッタ−（１）の動作係合部材（３）側に位置させ、左右に傾動可能にし、対向する動作係合部材（３）（６）に係脱自在になっている。また、双方の動作係合部材（３）と（６）は連動杆（１９）或はワイヤ−（２０）によってそれぞれ籾供給シャッタ−（１）と玄米仕切板（５）に連動連結されているのである。
【０００９】
また、前記支持板体（１８）の天板部分には籾供給シャッタ−作動溝（２１）と玄米仕切板作動溝（２２）とをクランク形状にして連続状に形成し、操作レバ−（７）をこの連続状に形成した籾供給シャッタ−作動溝（２１）と玄米仕切板作動溝（２２）にそって操作させるのである。
【００１０】
即ち、前記の籾供給シャッタ−作動溝（２１）内は籾供給シャッタ−（１）の作動域となってこの作動溝（２１）にそって操作するときはその操作レバ−（７）は籾供給シャッタ−（１）の動作係合部材（３）に係合し、また、玄米仕切板作動溝（２２）は玄米仕切板（５）の作動域になって、操作レバ−（７）を傾動させて玄米仕切板作動溝（２２）側に切替えればその側の動作係合部材（６）に係合するのである。
【００１１】
したがって、操作レバ−（７）を籾供給シャッタ−（１）の動作係合部材（３）に係合させてこの籾供給シャッタ−作動溝（２１）の「閉」位置から「開」位置に操作すると、動作係合部材（３）は揺動し連動杆（１９）を介して籾供給シャッタ−（１）を「開」にし籾タンク（９）内の籾を落下させ、また、操作レバ−（７）を「開」位置で仮想線（イ）のように玄米仕切板作動溝（２２）側に切替えると、操作レバ−（７）は籾供給シャッタ−（１）の動作係合部材（３）から脱して玄米仕切板（５）の動作係合部材（６）に係合し、玄米仕切板作動溝（２２）にそって「少」の位置から「多」の位置の間を操作すると、ワイヤ−（２０）を介して玄米仕切板（５）が矢印（ロ）のように傾動調節し、１つの操作レバ−（７）によって籾供給シャッタ−（１）の開閉と玄米仕切板（５）の傾動調節が手順よく行われるのである。
【００１２】
そして、この籾摺機の整備点検を行うときには、操作レバ−（７）を籾供給シャッタ−作動溝（２１）側に傾動し玄米仕切板（５）の動作係合部材（６）から脱してこの動作係合部材（６）を籾供給シャッタ−（１）の動作係合部材（３）との関係を断ち、風選部（Ｂ）上の選別部（Ｃ）を後方に移動させると、玄米仕切板（５）の動作係合部材（６）は支持ア−ム（８）および連動用のワイヤ−（２０）と共に後方に移動し選別部（Ｃ）全体が脱ぷ部（Ａ）側から簡単に大きく離間するようになって各部（Ａ）（Ｂ）（Ｃ）の整備点検が容易になり、また、選別部（Ｃ）は後方への移動後風選部（Ｂ）上から適宜の手段によって降ろすようにしてもよいのである。
【００１３】
このように、実施例では選別部（Ｃ）を風選部（Ｂ）上の定位置にして運転状態のとき、籾供給シャッタ−（１）の動作係合部材（３）と玄米仕切板（５）の動作係合部材（６）を互いに対向させたもので説明したのであるが、この双方の動作係合部材（３）と（６）は必ずしも対向させたものでなくてもよい。しかし、対向させることによって操作レバ−（７）の係脱による切替えが円滑に行えるのである。また、操作レバ−（７）を長手軸（１６）に樞着して籾供給シャッタ−（１）の動作係合部材（３）側に位置させると、選別部（Ｃ）を後方に移動するとき操作レバ−（７）が移動しないので他の部材と干渉するなどの心配がないのである。
【００１４】
更に、「図６」に示したものは、支持ア−ム（８）と玄米仕切板（５）の動作係合部材（６）の別実施例のもので、選別部（Ｃ）の前側部から突設する保持ア−ム（２３）の先端部に操作レバ−（７）が係脱する係合部（２４）を有する棒状体（２５）を前後方向に貫挿し、その棒状体（２５）の後端部をワイヤ−（２０）によって玄米仕切板（５）に連動連繋するとともに、保持ア−ム（２３）には圧縮スプリング（２６）を内蔵させて、そのバネ力により棒状体（２５）の先端を脱ぷ部（Ａ）の壁面に接当させることにより係合部（２４）を籾供給シャッタ−（１）の動作係合部材（３）に対向させたものである。なお、（２７）は棒状体（２５）の前後動を案内するためのガイド部材である。
【００１５】
【発明の効果】
本発明は、請求項１に記載したように、風選部（Ｂ）上の前側に脱ぷ部（Ａ）を後側に壺穴式の選別胴（２）により混合米を選別する選別部（Ｃ）を載設してなる壺穴式選別籾摺機であって、脱ぷ部（Ａ）の籾供給シャッタ−（１）の動作係合部材（３）と選別胴（２）内に挿架する玄米受樋（４）の玄米受入側に設けた玄米仕切板（５）の動作係合部材（６）とに１つの操作レバ−（７）を係脱自在に設け、該操作レバ−（７）により籾供給シャッタ−（１）の開閉と玄米仕切板（５）の傾動調節を行わせるものにおいて、前記選別部（Ｃ）から支持ア−ム（８）を前方に向けて突設し、その支持ア−ム（８）に前記玄米仕切板（５）の動作係合部材（６）を装着して、選別部（Ｃ）全体を後方に移動可能に構成したことを特徴とする壺穴式選別籾摺機における調節操作装置であるから、１つの操作レバ−（７）を脱ぷ部（Ａ）における籾供給シャッタ−（１）の動作係合部材（３）と選別部（Ｃ）における選別胴（２）内の玄米仕切板（５）の動作係合部材（６）に係脱自在になって籾供給シャッタ−（１）の開閉と玄米仕切板（５）の傾動調節が行えるものでありながら、選別部（Ｃ）から前方に突設する支持ア−ム（８）に玄米仕切板（５）の動作係合部材（６）を装着したので、選別部（Ｃ）全体の後方への移動が可能なものになり、その後方への移動によって脱ぷ部（Ａ）から大きく離間し各部（Ａ）（Ｂ）（Ｃ）の整備点検がし易くなりメンテナンス性のよい壺穴式選別籾摺機を具現するに至ったのである。
【００１６】
また、請求項２に記載したように、選別部（Ｃ）を風選部（Ｂ）上の定位置にして運転状態にしたとき、玄米仕切板（５）の動作係合部材（６）が籾供給シャッタ−（１）の動作係合部材（３）に対向し、且つ操作レバ−（７）を籾供給シャッタ−（１）の動作係合部材（３）側に位置させたものであるから、選別部（Ｃ）を後方に移動するとき操作レバ−（７）が移動しないので他の部材と干渉するなどの心配がないのである。
【図面の簡単な説明】
【図１】  調節操作装置の平面図である。
【図２】  同装置の縦断前方視図である。
【図３】  従来からの壺穴式選別籾摺機全体の側面図である。
【図４】  選別部の縦断後方視図である。
【図５】  籾供給シャッタ−作動溝と玄米仕切板作動溝の平面図である。
【図６】  別実施例のものの調節操作装置の平面図である。
【符号の説明】
Ａ    脱ぷ部
Ｂ    風選部
Ｃ    選別部
１    籾供給シャッタ−
２    選別胴
３    動作係合部材
４    玄米受樋
５    玄米仕切板
６    動作係合部材
７    操作レバ−
８    支持ア−ム
【図１】
0003736903.tif 000002
【図２】
0003736903.tif 000003
【図３】
0003736903.tif 000004
【図４】
0003736903.tif 000005
【図５】
0003736903.tif 000006
【図６】
0003736903.tif 000007